(57)【特許請求の範囲】
【請求項１】
垂直方向の高域成分の強調を行う画像処理回路を含む映像信号処理装置であって、
前記画像処理回路での処理時間に等しい遅延時間を有する遅延手段を設け、
前記強調を行う前の映像信号を前記遅延手段に供給し、
前記画像処理回路からの信号と前記遅延手段からの信号と任意の基準レベルとを比較し、
前記画像処理回路からの信号が前記遅延手段からの信号及び任意の基準レベルのいずれよりも大きく且つ前記遅延手段からの信号が前記基準レベルより大きいときは前記遅延手段からの信号を選択し、
前記画像処理回路からの信号が前記遅延手段からの信号及び任意の基準レベルのいずれよりも大きく且つ前記遅延手段からの信号が前記基準レベルより小さいときは前記基準レベルを選択し、
前記以外のときは前記画像処理回路からの信号を選択する
ことを特徴とする映像信号処理装置。
【請求項２】
請求項１記載の映像信号処理装置において、
前記画像処理回路からの信号が前記遅延手段からの信号及び任意の基準レベルのいずれよりも大きく且つ前記遅延手段からの信号が前記基準レベルより大きいときは
〔前記画像処理回路からの信号−前記遅延手段からの信号〕
の差分信号を形成し、
前記画像処理回路からの信号が前記遅延手段からの信号及び任意の基準レベルのいずれよりも大きく且つ前記遅延手段からの信号が前記基準レベルより小さいときは
〔前記画像処理回路からの信号−前記基準レベル〕
の差分信号を形成し、
これらの差分信号と前記画像処理回路からの信号との演算によって前記取り出される信号を形成する
ことを特徴とする映像信号処理装置。
【請求項３】
垂直方向の高域成分の強調処理を併用する映像信号処理方法であって、
前記強調処理を行う前の映像信号を前記強調処理での処理時間に等しい時間遅延し、
前記強調処理した信号と前記遅延した信号と任意の基準レベルとを比較し、
前記強調処理した信号が前記遅延した信号及び任意の基準レベルのいずれよりも大きく且つ前記遅延した信号が前記基準レベルより大きいときは前記遅延した信号を選択し、
前記強調処理した信号が前記遅延した信号及び任意の基準レベルのいずれよりも大きく且つ前記遅延した信号が前記基準レベルより小さいときは前記基準レベルを選択し、
前記以外のときは前記強調処理した信号を選択する
ことを特徴とする映像信号処理方法。
【請求項４】
請求項３記載の映像信号処理方法において、
前記強調処理した信号が前記遅延した信号及び任意の基準レベルのいずれよりも大きく且つ前記遅延した信号が前記基準レベルより大きいときは
〔前記強調処理した信号−前記遅延した信号〕
の差分信号を形成し、
前記強調処理した信号が前記遅延した信号及び任意の基準レベルのいずれよりも大きく且つ前記遅延した信号が前記基準レベルより小さいときは
〔前記強調処理した信号−前記基準レベル〕
の差分信号を形成し、
これらの差分信号と前記強調処理した信号との演算によって前記取り出される信号を形成する
ことを特徴とする映像信号処理方法。
【発明の詳細な説明】
【０００１】
【発明の属する技術分野】
本発明は、例えば標準テレビジョン信号を倍速変換処理する際に使用して好適な映像信号処理装置及び映像信号処理方法に関する。詳しくは例えば標準テレビジョン信号を倍速変換処理する際に行う垂直方向の高域成分の強調によって、画像の一部分の輝度が過度に高くなる現象を防止するようにしたものである。
【０００２】
【従来の技術】
例えば５２５インターレースのＮＴＳＣ方式や６２５インターレースのＰＡＬ方式の標準テレビジョン信号を、１０５０／１２５０インターレースの倍速信号に変換する倍速変換処理装置として、入力画像をそのパターンに応じて分類し、このパターンごとにより高精細な画像になるような倍速用のパターンに置き換えるようにした高精度の倍速変換処理装置が提案（特開平７−７５０６６号公報）されている。
【０００３】
このような倍速変換処理装置を用いることにより、例えばカメラ撮影された自然画等の画質を著しく向上させることができる。ところがこのような装置においては、特に垂直方向の画質を向上させる目的で、垂直方向の高域成分の強調を行う処理が設けられている。その場合に上述の自然画は問題がないが、例えば自然画に重畳されるテロップのような人工的な画像に対しては、画像の一部分の輝度が過度に高くなるなどの弊害を生じてしまうものである。
【０００４】
すなわち、例えば自然画に重畳されたテロップにおいてはそのエッジ部分での垂直方向の周波数が極めて高くなる。そこでこのような画像で垂直方向の高域成分の強調を行うと、エッジ部分の輝度レベルが過度に高くなって目立ち易くなる。このためいわゆるラインフリッカーや、画像を表示する陰極線管の特性によるデフォーカス等の画質劣化を生じるものである。
【０００５】
なお、このような画質劣化は上述のテロップ以外でも、例えば受像機の調整のためのメニュー画面を自然画に重畳して表示する場合などにも生じる。また画像の垂直方向の高域成分の強調は、上述のような高精度の倍速変換を行う映像信号処理に限らず、いわゆる垂直補間による倍速変換や、一般的な垂直エンハンスにおいても行われるものであり、このような場合においても上述の画質劣化は生じるていものである。
【０００６】
【発明が解決しようとする課題】
この出願はこのような点に鑑みて成されたものであって、解決しようとする問題点は、従来の装置では、例えば標準テレビジョン信号を倍速変換処理する際に行われる垂直方向の高域成分の強調によって、いわゆるラインフリッカーやデフォーカス等の画質劣化を生じるというものである。
【０００７】
【課題を解決するための手段】
このため本発明においては、画像処理された信号と元の信号と基準レベルとを比較し、この比較結果に応じてこれらの信号を切り換えて取り出すようにしたものであって、これによれば、テロップ等の画像に対して輝度レベルが過度に高くなってしまうようなことがなくなり、いわゆるラインフリッカーやデフォーカス等の画質劣化を防止することができる。
【０００８】
【発明の実施の形態】
すなわち本発明は、垂直方向の高域成分の強調処理を併用する映像信号処理装置及び方法であって、強調処理を行う前の映像信号を強調処理での処理時間に等しい時間遅延し、強調処理した信号と遅延した信号と任意の基準レベルとを比較し、強調処理した信号が遅延した信号及び任意の基準レベルのいずれよりも大きく且つ遅延した信号が基準レベルより大きいときは遅延した信号を選択し、強調処理した信号が遅延した信号及び任意の基準レベルのいずれよりも大きく且つ遅延した信号が基準レベルより小さいときは基準レベルを選択し、以外のときは強調処理した信号を選択してなるものである。
【０００９】
【実施例】
以下、図面を参照して本発明を説明するに、図１は本発明による映像信号処理装置及び映像信号処理方法を適用した標準テレビジョン信号の倍速変換処理装置の一例の構成を示すブロック図である。
【００１０】
図１において、入力端子１には、例えば元信号となる標準テレビジョン信号が供給される。この入力端子１からの標準テレビジョン信号が、例えば上述のような高精度の変換を行う倍速変換回路２に供給される。なおこの例では、倍速変換回路２からは倍速変換された２走査線の倍速信号１、２が、元の時間軸のままで同時に出力されているものである。
【００１１】
また入力端子１からの標準テレビジョン信号が上述の倍速変換回路２での処理時間に等しい遅延時間を有する遅延回路３に供給される。さらに基準レベルを発生する発生部４が設けられる。なおこの発生部４で発生される基準レベルとしては、１００％輝度レベル、９０％輝度レベル、８０％輝度レベルなどが考えられ、これらが切り換えられるようにすることもできる。
【００１２】
そしてこれらの発生部４からの基準レベル及び遅延回路３からの信号と、上述の倍速変換回路２からの倍速信号１、２がそれぞれ比較器５、６に供給される。これらの比較器５、６では、それぞれ倍速変換回路２からの倍速信号と、遅延回路３からの遅延信号及び発生部４からの基準レベルとが比較されて、それぞれ判別結果１、２が形成される。
【００１３】
すなわちこれらの比較器５、６では、例えば
▲１▼倍速信号が遅延信号及び基準レベルのいずれよりも大きく、且つ遅延信号が基準レベルより大きいとき、
▲２▼倍速信号が遅延信号及び基準レベルのいずれよりも大きく、且つ遅延信号が基準レベルより小さいとき、
▲３▼上記以外のとき、が判別される。
【００１４】
それと共にこれらの比較器５、６では、上述の判別結果に基づいてそれぞれ▲１▼のときは〔倍速信号−遅延信号〕と、▲２▼のときは〔倍速信号−基準レベル〕の差分信号１、２が形成される。そしてこれらの差分信号１、２と上述の判別結果１、２が、それぞれ出力データ制御部７、８に供給される。さらに上述の倍速変換回路２からの２走査線の倍速信号１、２がそれぞれ出力データ制御部７、８に供給される。
【００１５】
そしてこれらの出力データ制御部７、８では、上述の判別結果１、２が▲１▼または▲２▼のときは、上述の差分信号１、２を倍速信号１、２から減算する制御が行われる。また上述の判別結果１、２が▲３▼のときは、倍速信号１、２をそのまま取り出す制御が行われる。
【００１６】
さらにこれらの出力データ制御部７、８からの信号出力が、例えば図２のＡ、Ｂに示すような倍速信号１、２を、同図のＣに示すような最終走査信号に変換する時間軸変換回路９に供給される。そして変換された最終走査信号が、出力端子１０に取り出される。
【００１７】
そしてこの装置において、倍速信号が遅延信号及び基準レベルのいずれよりも大きく、且つ遅延信号が基準レベルより大きいとき（▲１▼）は、〔倍速信号−遅延信号〕の差分信号が倍速信号から減算されることによって、図３のＡに示すように遅延信号に相当する信号出力が出力データ制御部７、８から取り出される。
倍速信号−〔倍速信号−遅延信号〕＝遅延信号
【００１８】
また、倍速信号が遅延信号及び基準レベルのいずれよりも大きく、且つ遅延信号が基準レベルより小さいとき（▲２▼）は、〔倍速信号−基準レベル〕の差分信号が倍速信号から減算されることによって、図３のＢに示すように基準レベルに相当する信号出力が出力データ制御部７、８から取り出される。
倍速信号−〔倍速信号−基準レベル〕＝基準レベル
【００１９】
さらに上記以外のとき（▲３▼）は、図３のＣに示すように倍速信号がそのまま出力データ制御部７、８から取り出される。
【００２０】
すなわちこの装置において、▲３▼の状態は、通常は最も高い確率で起こるものであり、倍速変換回路２からの倍速信号１、２に過度の輝度成分が含めれていない場合である。この場合には、倍速変換回路２からの倍速信号１、２がそのまま出力データ制御部７、８から取り出される。
【００２１】
次に、▲２▼の状態は、元信号のレベルが低いにもかかわらず、倍速信号の輝度レベルが過度に高い場合である。この場合に倍速信号をそのまま出力したのでは、高輝度による弊害が発生する恐れが大きい。また、例えば▲１▼の状態での処理ように元信号のレベルに置き換えて出力したのでは、自然画像での倍速変換処理の効果が十分に発揮できなくなる恐れがある。そこでこの場合には、中間の値である基準レベルに置き換えて出力を行う。
【００２２】
さらに▲１▼の状態は、エンハンス効果により倍速信号のレベルは元信号より大きく、且つ十分に高輝度レベルに達しているが、元信号も比較的高輝度レベルにある場合である。この場合も倍速信号をそのまま出力したのでは、高輝度による弊害が発生する恐れが大きい。また、例えば▲２▼の状態での処理ように基準レベルに置き換えて出力すると、元信号より低いレベルが出力され、元信号より劣化した信号になってしまう。
【００２３】
そこでこの場合には、倍速信号を元信号の輝度レベルに置き換えて出力を行うことにより、信号の劣化を防止しつつ、高輝度による弊害を削減するものである。
【００２４】
従ってこの装置において、画像処理された信号と元の信号と基準レベルとを比較し、この比較結果に応じてこれらの信号を切り換えて取り出すようにしたことによって、テロップ等の画像に対して輝度レベルが過度に高くなってしまうようなことがなくなり、いわゆるラインフリッカーやデフォーカス等の画質劣化を防止することができる。
【００２５】
これによって、従来の装置では、例えば標準テレビジョン信号を倍速変換処理する際に行われる垂直方向の高域成分の強調によって、いわゆるラインフリッカーやデフォーカス等の画質劣化を生じるなどの問題点があったものを、本発明によればこれらの問題点を容易に解消することができるものである。
【００２６】
なお本発明は、上述のような高精度の倍速変換を行う映像信号処理を行う場合に限らず、例えばラインメモリを用いたいわゆる垂直補間による倍速変換や、一般的な垂直エンハンスにおける垂直方向の高域成分の強調においても、同様の効果を有するものである。
【００２７】
こうして上述の映像信号処理装置及び映像信号処理方法によれば、垂直方向の高域成分の強調処理を併用する映像信号処理装置及び方法であって、強調処理を行う前の映像信号を強調処理での処理時間に等しい時間遅延し、強調処理した信号と遅延した信号と任意の基準レベルとを比較し、強調処理した信号が遅延した信号及び任意の基準レベルのいずれよりも大きく且つ遅延した信号が基準レベルより大きいときは遅延した信号を選択し、強調処理した信号が遅延した信号及び任意の基準レベルのいずれよりも大きく且つ遅延した信号が基準レベルより小さいときは基準レベルを選択し、以外のときは強調処理した信号を選択することにより、テロップ等の画像に対して輝度レベルが過度に高くなってしまうようなことがなくなり、いわゆるラインフリッカーやデフォーカス等の画質劣化を防止することができるものである。
【００２８】
なお本発明は、上述の説明した実施の形態に限定されるものではなく、本発明の精神を逸脱することなく種々の変形が可能とされるものである。
【００２９】
【発明の効果】
従って請求項１及び請求項３の発明によれば、画像処理された信号と元の信号と基準レベルとを比較し、この比較結果に応じてこれらの信号を切り換えて取り出すようにしたことによって、テロップ等の画像に対して輝度レベルが過度に高くなってしまうようなことがなくなり、いわゆるラインフリッカーやデフォーカス等の画質劣化を防止することができるものである。
【００３０】
これによって、従来の装置では、例えば標準テレビジョン信号を倍速変換処理する際に行われる垂直方向の高域成分の強調によって、いわゆるラインフリッカーやデフォーカス等の画質劣化を生じるなどの問題点があったものを、本発明によればこれらの問題点を容易に解消することができるものである。
【図面の簡単な説明】
【図１】本発明の適用される映像信号処理装置の一例の構成図である。
【図２】その動作の説明のための図である。
【図３】その説明のための図である。
【符号の説明】
１…入力端子、２…倍速変換回路、３…遅延回路、４…基準レベルの発生部、５，６…比較器、７，８…出力データ制御部、９…時間軸変換回路、１０…出力端子
【図１】
0004019503.tif 000002
【図２】
0004019503.tif 000003
【図３】
0004019503.tif 000004